(57)【要約】【課題】  コンパクトで、しかも、一方のケーブルの敷設工事から他方のケーブル敷設工事までの間が空いても、他方のケーブル用のケーブル導出入口から異物が侵入することがない成端キャビネットを得る。【解決手段】  互いに接続される一対のコネクタ３，４を収容するコネクタ収容部６は、一対のコネクタ３，４と略一致した大きさに形成され、コネクタ収容部６に連通するケーブル導出入口２５は、当初、キャビネット本体７と一体に形成された導出入部端壁２５ｂにより封止された構造に形成され、ケーブル挿入時に前記導出入部端壁２５ｂを切除することで、ケーブルを挿通可能に開口する。【選択図】        図６
2007086180.tif 000002
【特許請求の範囲】
【請求項１】
コネクタ収容部が表面側を開放した形態で形成されたキャビネット本体と、前記コネクタ収容部の開放面を覆う蓋体とを備えて、前記コネクタ収容部に引き込まれる光ケーブル同士をコネクタ接続する成端キャビネットであって、
前記コネクタ収容部は、互いに接続される一対のコネクタと略一致した大きさに形成され、
前記光ケーブルを前記コネクタ収容部に挿通させるためのケーブル導出入口は、当初、キャビネット本体と一体に形成された導出入部端壁により封止された構造とされ、ケーブル挿入時に前記導出入部端壁を切除することにより、ケーブルを挿通可能に開口することを特徴とする特徴とする成端キャビネット。
【請求項２】
前記キャビネット本体及び前記蓋体は、吊線に縦添え状態にして当該吊線に結束することで、吊線に固定されると共に、コネクタ収容部が蓋体で覆われた状態に維持されることを特徴とする請求項１に記載の成端キャビネット。
【請求項３】
前記コネクタ接続されたケーブルの軸方向の移動を規制する突起が前記コネクタ収容部に複数箇所設けられていることを特徴とする請求項１又は２に記載の成端キャビネット。
【請求項４】
前記キャビネット本体の外面に前記吊線を割り込ませる吊線案内溝を有すると共に、前記吊線案内溝に前記吊線の軸方向の移動を規制する複数の突起が設けられていることを特徴とする請求項１〜３のいずれか１項に記載の成端キャビネット。
【請求項５】
前記キャビネット本体は、前記コネクタ収容部の周囲を包囲するようにシール材が装備され、前記蓋体は閉じたときにその周縁部が前記シール材に密着することを特徴とする請求項１〜４のいずれか１項に記載の成端キャビネット。
【発明の詳細な説明】
【技術分野】
【０００１】
本発明は、例えば、屋外側から導入されるドロップケーブルと家屋側から導入されるインドアケーブルとをコネクタ接続する成端キャビネットに関する。
【背景技術】
【０００２】
近年、光ケーブルを住宅やマンション等に引き込み、機器につなぎ込むＦＴＴＨサービスが急速に普及している。
このようなＦＴＴＨサービスの普及下において、光ケーブルを屋外から住宅内に引き込む場合のケーブル接続構造として、住宅の軒下等に成端キャビネットを設置し、屋外側から住宅側に引き込むドロップケーブルの成端部と住宅内の機器に接続されるインドアケーブルの成端部とを、成端キャビネット内でコネクタ接続するケーブル接続構造が提案されている。
【０００３】
そして、上記成端キャビネットとしては、表面側を開放したケーブル収容部が形成されたキャビネット本体と、ケーブル収容部の開放面を覆う蓋体とを備え、ケーブル収容部に、ドロップケーブルの余長を収納する第１余長収納部と、インドアケーブルの余長を収納する第２余長収納部と、各ケーブルの成端部同士をコネクタ接続するアダプタが取り付けられるアダプタ支持部とを具備したものが提案されている（例えば、特許文献１，２参照）。
【０００４】
なお、従来のこの種の成端キャビネットは、住宅の軒下等の壁面に固定することを前提としていて、キャビネット本体に、壁面にねじ止めするための取付穴を有した取付部材が装備されている。
【０００５】
【特許文献１】特開２００３−１３９９６６号公報
【特許文献２】特開２００３−１４３２９１号公報
【発明の開示】
【発明が解決しようとする課題】
【０００６】
ところが、住宅の壁面に取り付ける従来の成端キャビネットは、ねじ止め等によって住宅の壁面に傷を与えるため、住宅所有者が成端キャビネットの設置を敬遠する場合があった。
また、従来の成端キャビネットは、各ケーブルの余長を収容する余長収容部を装備するため、キャビネットが大型化し、住宅の壁面に設置した時に目立って、住宅の外観を損なう等の不満も聞かれた。
ＦＴＴＨサービスの需要を伸ばすためには、このような不備を解決することが重要で、例えば、設置されても目立たず、住宅の外観を損ねない程度までコンパクト化すること、住宅の壁面を傷つけることなく設置可能にすること、などが今後の重要課題とされる。
【０００７】
さらに、上記成端キャビネットへの光ケーブルの敷設工事では、屋外の架空光クロージャ等から上記成端キャビネットへドロップケーブルの引き込みを行う屋外工事事業者と、住宅内の機器等から上記成端キャビネットまでインドアケーブルを配線する宅内工事事業者とが異なる場合があり、そのような場合には、ドロップケーブルの敷設工事日とインドアケーブルの敷設工事日とが異なることが少なくない。
ところが、従来の成端キャビネットの場合、キャビネット本体に装備されるケーブル導出入口は、ケーブルを挿通させると、ケーブル導出入口に装備していたシール部材がケーブル外周に密着して、液密にシールした状態にするもので、ケーブル挿通前には、シール部材があっても無防備な開放状態にある。
そのため、工事日のずれ等によって、一方のケーブルの敷設工事が終わった後、他方のケーブルの敷設工事日まで長期間放置されると、開放状態にある他方のケーブル用のケーブル導出入口からキャビネット本体内のケーブル収容部に雨滴や、湿気、塵埃等の異物が浸入し、内部を汚損する虞もあった。
【０００８】
本発明の目的は、コンパクトで、設置しても住宅の外観を損ねることがなく、また、住宅の壁面に傷つけずに設置でき、更には、一方のケーブルの敷設工事から他方のケーブル敷設工事までの間が空いても、他方のケーブル用のケーブル導出入口から異物が侵入して内部を汚損することがない成端キャビネットを提供することにある。
【課題を解決するための手段】
【０００９】
上記目的を達成するために、本発明に係る請求項１記載の成端キャビネットは、コネクタ収容部が表面側を開放した形態で形成されたキャビネット本体と、前記コネクタ収容部の開放面を覆う蓋体とを備えて、前記コネクタ収容部に引き込まれる光ケーブル同士をコネクタ接続する成端キャビネットであって、前記コネクタ収容部は、互いに接続される一対のコネクタと略一致した大きさに形成され、前記光ケーブルを前記コネクタ収容部に挿通させるためのケーブル導出入口は、当初、キャビネット本体と一体に形成された導出入部端壁により封止された構造とされ、ケーブル挿入時に前記導出入部端壁を切除することにより、ケーブルを挿通可能に開口することを特徴とする。
【００１０】
本発明に係る請求項２記載の成端キャビネットは、請求項１に記載の成端キャビネットにおいて、前記キャビネット本体及び前記蓋体は、吊線に縦添え状態にして当該吊線に結束することで、吊線に固定されると共に、コネクタ収容部が蓋体で覆われた状態に維持されることを特徴とする。
【００１１】
本発明に係る請求項３記載の成端キャビネットは、請求項１又は２に記載の成端キャビネットにおいて、前記コネクタ接続されたケーブルの軸方向の移動を規制する突起が前記コネクタ収容部に複数箇所設けられていることを特徴とする。
【００１２】
本発明に係る請求項４記載の成端キャビネットは、請求項１乃至３のいずれか１項に記載の成端キャビネットにおいて、前記キャビネット本体の外面に前記吊線を割り込ませる吊線案内溝を有すると共に、前記吊線案内溝に前記吊線の軸方向の移動を規制する複数の突起が設けられていることを特徴とする。
【００１３】
本発明に係る請求項５記載の成端キャビネットは、請求項１乃至４のいずれか１項に記載の成端キャビネットにおいて、前記キャビネット本体は、前記コネクタ収容部の周囲を包囲するようにシール材が装備され、前記蓋体は閉じたときにその周縁部が前記シール材に密着することを特徴とする。
【発明の効果】
【００１４】
本発明に係る成端キャビネットによれば、キャビネット本体に装備するコネクタ収容部が、互いに接続される一対のコネクタと略一致した大きさで、余長収容部などの余分な容積を含まないため、コンパクトになり、設置しても住宅の外観を損ねることがなくなる。
また、ケーブル導出入口は、ケーブル挿入時に導出入部端壁を切除することで、初めて開口状態になるものであるため、一方のケーブルの敷設工事から他方のケーブル敷設工事までの間が空いても、他方のケーブル用のケーブル導出入口は導出入部端壁により封止された状態に維持でき、他方のケーブル用のケーブル導出入口から異物が侵入して内部を汚損することがない。
【発明を実施するための最良の形態】
【００１５】
以下、本発明に係る成端キャビネットの好適な実施の形態について、図面を参照して詳細に説明する。
図１は本発明に係る成端キャビネットの一実施の形態の蓋体を開いた状態の斜視図、図２は図１に示した状態からコネクタ収容部に一方のケーブルの成端コネクタを収容した状態の斜視図、図３はコネクタ収容部に一方のコネクタを配置した状態で蓋体を閉じて、吊線に添わす状態の斜視図、図４は図３のＡ−Ａ断面図、図５は一方のケーブルの敷線工事を済ませて吊線に結束バンドで結束・固定した状態の斜視図、図６はコネクタ収容部に各ケーブルが導入され、ケーブル相互がコネクタ接続された状態の斜視図、図７はコネクタ収容部にそれぞれのケーブルが導入された成端キャビネットが吊線に結束・固定された状態の斜視図である。
【００１６】
この一実施の形態の成端キャビネット１は、図６に示すように、互いに接続される一対の成端コネクタ３，４を収容するコネクタ収容部６が表面側を開放した形態で形成されたキャビネット本体７と、コネクタ収容部６の開放面を覆う蓋体９とを備え、屋外側からコネクタ収容部６に引き込まれるドロップケーブル１１の成端部と家屋側から当該コネクタ収容部６に引き込まれるインドアケーブル１３の成端部とをコネクタ収容部６内でアダプタ１４を介してコネクタ接続する。
【００１７】
キャビネット本体７は、図１及び図２に示すように、樹脂の一体成形品として構成され、表面側が開放したコネクタ収容部６を画成した隔壁２１の周囲全周を包囲するように、シール材２２を嵌入する溝状空間２３が形成されている。
コネクタ収容部６は、その中央部が、各ケーブル１１，１３の成端コネクタ３，４を相互接続するアダプタ１４の装着空間６ｃになっていて、このアダプタ１４の装着空間６ｃの両端側が各成端コネクタ３，４を収容する空間６ａ，６ｂとなる。これらの空間６ａ，６ｂは、そこに収容される成端コネクタ３，４と略一致した大きさに形成されている。つまり、コネクタ収容部６は、１個のアダプタ１４及び一対の成端コネクタ３，４を合わせた大きさに略一致した形状に形成されている。
【００１８】
コネクタ収容部６の長手方向に対向するキャビネット本体７の両端外壁７ａ，７ｂには、接続するケーブルを挿通させるケーブル導出入口２５が一体形成されている。また、コネクタ収容部６を画成する隔壁２１のケーブル導出入口２５に対向する位置には、各成端コネクタ３，４に接続されたケーブルの軸方向の移動を規制する突起２７が隔壁２１に連続した複数箇所に設けられている。
【００１９】
ケーブル導出入口２５は、表面を開放した通路形状でキャビネット本体７の外壁７ａ，７ｂに一体形成された通路部２５ａと、蓋体９の両端に突設されて蓋体９を閉じたときに通路部２５ａの開放面を覆う通路部カバー３１と、通路部２５ａの先端に一体に形成された導出入部端壁２５ｂとから構成される。
【００２０】
通路部２５ａの先端は、図２にも示すように開口を狭める一対の屈曲壁２５ｃが対向配置されていて、この一対の屈曲壁２５ｃが通路部２５ａを挿通するケーブルを緩く挟持して、ケーブル挿通部の隙間を低減させる。
通路部２５ａの先端に一体形成された導出入部端壁２５ｂは、通路部２５ａと通路部カバー３１とで筒状に形成されるケーブル通路の先端を覆って、該ケーブル通路を封止する。
【００２１】
即ち、本実施の形態のケーブル導出入口２５は、当初、キャビネット本体７と一体に形成された導出入部端壁２５ｂにより封止された構造に形成され、ケーブル挿入時にニッパ等の切断工具によって導出入部端壁２５ｂを図２の一端側（図示の右側）に示すように切除することで、ケーブルを挿通可能に開口する。
【００２２】
突起２７は、挿通するケーブルを両側から挟むように、隔壁２１の端部から延出した一対の対向片２７ａの内面に、ケーブルの外周に当接してケーブルの軸方向の移動を規制する突起２７ｂを装備したものである。
【００２３】
コネクタ収容部６の周囲の溝状空間２３に嵌入されるシール材２２は、例えば、スポンジゴムのように圧縮率が大きい材料が採用される。
蓋体９を閉じると、図４に示すように、蓋体９の周縁部に添って環状に形成された突条３３が、このシール材２２に密着して、コネクタ収容部６の周囲を液密にシールする。
【００２４】
蓋体９は、キャビネット本体７と一体成形されるもので、図１及び図２に示すように、キャビネット本体７の長手方向に沿う上端縁に薄肉の可撓ヒンジ３４を介してキャビネット本体７に開閉可能に連結されている。
また、キャビネット本体７に被さる蓋体９の周縁部の内、可撓ヒンジ３４と逆側の端縁には、キャビネット本体７側に装備された位置決め穴３５に嵌合する位置決めピン３６が突設されている。
蓋体９を閉じた時、この位置決めピン３６がキャビネット本体７の位置決め穴３５に嵌合することで、蓋体９とキャビネット本体７とは正確に突き合わせることができる。
【００２５】
本実施の形態の場合、図３、図５に示すように、キャビネット本体７及び蓋体９の外面には、長手方向の両端部に、結束バンド３８を位置決めするバンド掛け溝３９が形成されている。
さらにキャビネット本体７の外面には、架空の光ケーブル接続用クロージャ等から住宅に接続される吊線４１に縦添えした際に、吊線４１が割り込む吊線案内溝４３が形成されている。そして、吊線案内溝４３内には、割り込ませた吊線４１に当接して、軸方向の相対移動を規制する突起４５が複数箇所に突設されている。
本実施の形態の成端キャビネット１は、図５に示したように、吊線４１に縦添え状態にして当該吊線４１と一体的に結束バンド３８により結束することで、吊線４１に固定されると共に、コネクタ収容部６が蓋体９で覆われた状態に維持される。
【００２６】
以上の成端キャビネット１は、図２に示したように、どちらか一方のケーブルの敷設工事が終了し、他方のケーブルの敷設工事までの期間が空くとき、その一方のケーブルの敷設を済ませた状態のまま、蓋体９を閉じて、図５に示すように、住宅外部に張設されている吊線４１に縦添えして、結束バンド３８による結束で吊線４１に固定する。この状態では、勿論、ケーブルが挿通されていない側のケーブル導出入口２５は、導出入部端壁２５ｂが切除されずに、通路部２５ａが封止されている。
【００２７】
待機していた他方のケーブルの敷設工事をする場合には、結束バンド３８を切断して、吊線４１から成端キャビネット１を取り外し、蓋体９を開いて、残っていた導出入部端壁２５ｂを切除して、閉塞されていたケーブル導出入口２５を開口させた後、他方のケーブルのコネクタを、コネクタ収容部６内のアダプタ１４に接続する。
この時、コネクタ収容部６の中央部に装備されているアダプタ１４が、工事施工業者が各ケーブルで異なる場合に、両施工業者間の責任分担を明確に区分する境界となる。
【００２８】
そして、他方のケーブルのコネクタ接続が完了したら、再び蓋体９を閉じ、図７に示すように、結束バンド３８で吊線４１に結束・固定した状態にすれば、ドロップケーブル１１の先端部とインドアケーブル１３の先端部とのコネクタ接続が完了する。
【００２９】
以上に説明した本実施の形態の成端キャビネット１によれば、キャビネット本体７に装備するコネクタ収容部６の空きスペースが、互いに接続される一対のコネクタ３，４と略一致した大きさで、余長収容部などの余分な容積を含まないため、コンパクトになり、設置しても住宅の外観を損ねることがなくなる。
また、ケーブル導出入口２５は、ケーブル挿入時に導出入部端壁２５ｂを切除することで、初めて開口状態になるものであるため、一方のケーブルの敷設工事から他方のケーブル敷設工事までの間が空いても、他方のケーブル用のケーブル導出入口２５は導出入部端壁２５ｂにより封止された状態を維持でき、ケーブル導出入口２５から異物が侵入して内部を汚損することがない。
【００３０】
また、本実施の形態の成端キャビネット１によれば、キャビネットの取り付けは、吊線４１に結束・固定するものであるため、住宅の壁面に傷つけずに設置することができる。
また、吊線４１に固定するため、導出入するケーブルは吊線４１に対して緩みを付与した状態にしておけば、ケーブルには外部からの引張荷重が作用せず、ケーブルの引張荷重による損傷を防止することができる。
また、上記実施の形態のように、キャビネット本体７の外面の吊線案内溝４３に、吊線４１に当接して吊線４１との軸方向のずれを規制する突起４５を装備しておけば、結束バンド３８による固定強度を向上させることができる。
【００３１】
また、本実施の形態の成端キャビネット１によれば、コネクタ収容部６に収容したコネクタ３，４に接続されるケーブル１１，１３は、コネクタ収容部６の複数箇所に装備された突起２７によってケーブル軸方向の移動が規制されるため、ケーブル１１，１３に作用する張力がコネクタ３，４内の接続部に作用することがなく、コネクタ３，４相互の接続信頼性が向上すると同時に、コネクタ３，４に必要とされる引張強度を緩和して、低コスト化を図ることができる。
【００３２】
また、本実施の形態の成端キャビネット１によれば、蓋体９を閉じると、蓋体９の周縁部がシール材２２に密着して、キャビネット本体７のコネクタ収容部６の周囲がシールされるため、優れた防水性を得ることができる。
なお、シール材２２として、上記実施の形態で説明したように圧縮率が大きいスポンジゴム等を採用することで、蓋体９を閉じる際に必要な結束力を小さくすることができ、作業性を向上させることができる。
【図面の簡単な説明】
【００３３】
【図１】本発明に係る成端キャビネットの一実施の形態の蓋体を開いた状態の斜視図である。
【図２】図１に示した状態からコネクタ収容部に一方のケーブルの成端コネクタを収容した状態の斜視図である。
【図３】コネクタ収容部に一方のコネクタを配置した状態で蓋体を閉じて、結束する吊線に添わす状態の斜視図である。
【図４】図３のＡ−Ａ断面図である。
【図５】一方のケーブルの敷線工事を済ませて吊線に結束バンドで結束・固定した状態の斜視図である。
【図６】コネクタ収容部に各ケーブルが導入され、ケーブル相互がコネクタ接続された状態の斜視図である。
【図７】コネクタ収容部にそれぞれのケーブルが導入された成端キャビネットが吊線に結束・固定された状態の斜視図である。
【符号の説明】
【００３４】
１  成端キャビネット
３，４  成端コネクタ
６  コネクタ収容部
７  キャビネット本体
９  蓋体
１１  ドロップケーブル（光ケーブル）
１３  インドアケーブル（光ケーブル）
２１  隔壁
２２  シール材
２３  溝状空間
２５  ケーブル導出入口
２５ａ  通路部
２５ｂ  導出入部端壁
２７  突起
２７ａ  対向片
２７ｂ  突起
３１  通路部カバー
３３  突条
３４  可撓ヒンジ
３５  位置決め穴
３６  位置決めピン
３８  結束バンド
３９  バンド掛け溝
４１  吊線
４３  吊線案内溝
【図１】
2007086180.tif 000003
【図２】
2007086180.tif 000004
【図３】
2007086180.tif 000005
【図４】
2007086180.tif 000006
【図５】
2007086180.tif 000007
【図６】
2007086180.tif 000008
【図７】
2007086180.tif 000009